(57)【特許請求の範囲】
【請求項１】
パネル取付片から段差部を介して突片を突出させ、前記パネル取付片の側縁と突片の側縁とに挟まれた溝である上切欠部を段差部上方に形成し、突片の上縁に水平な上摺接部を設けたパネル組立用連結具を、
組み付けるパネルの一方のパネル側縁角部へ上摺接部及び上切欠部を上向きにして取り付け、組み付けるパネルの他方のパネル側縁角部へ上摺接部及び上切欠部を下向きにして取り付けて、
パネル組立用連結具それぞれの段差部を水平断面でＸ字状に交差させ、前記一方の上切欠部と前記他方の上切欠部とを互いに嵌まり込ませてパネルを組み付けることを特徴とするパネル連結構造。
【請求項２】
上切欠部と上下対称に、パネル取付片の側縁と突片の側縁とに挟まれた溝である下切欠部を段差部下方に形成し、上摺接部と上下対称に、突片の下縁に水平な下摺接部を設けたパネル組立用連結具を用いてパネルを組み付けることを特徴とする請求項１記載のパネル連結構造。
【発明の詳細な説明】
【０００１】
【発明の属する技術分野】
本発明は、ユニット式部屋の壁パネルと壁パネルや、箱体のパネルとパネルなど各種パネルの組立分解を容易にし、かつ強固な連結が得られるパネル連結構造に関する。
【０００２】
【従来の技術】
ユニット式部屋、例えば仮設住宅やユニットバスの囲いや仕切壁などパネル組立用連結具については、従来から種々提案されている。例えば、実公昭56-003450号には、簡単な構造の基部に対して上下に切欠部を有する平板状突片を側縁から面直角方向に突出させ、これを鋼製中空柱の正面に設けた下方に狭まる切欠穴にはめて、係止させる構造のものが示されている。また、実公平02-046561号には、コーナー部のパネル組立用連結具として、側縁にパネル面から突出する突片を設け、上下から相互に引っ掛ける切欠きを突片に設けたものがみられる。あるいは、実公平03-008746号には側縁に設けたフックとフック受けからなるパネル組立用連結具が記載されている。更に、柱を介してパネル相互を連結する構造のものとしては、実公昭56-046402号や実用新案登録第2527451号などにみられる。
【０００３】
【発明が解決しようとする課題】
これら従来のパネル組立用連結具はいずれも、パネルの組立時に指を挟む危険があり、一旦挟むとその部分が薄くて応力が集中して大けがにもなりかねない構造である。また少なくともフックとフック受のように２種類の金具を要し、左右勝手をとり違えると、組付けられない欠点がある。あるいは、柱やフレームを介しての結合様式であったりすると組立が手間である。更に、大パネルで重量物にもなると、組み付けも重労働を強いられ、特に柱やフレームを有しない構造であると１人での組み付けが困難で２人以上を要する結果となる。
【０００４】
【課題を解決するための手段】
本発明は、以上のような従来の欠点を解消するパネル組立用連結具を用いたパネル連結構造で、具体的には、パネル取付片から段差部を介して突片を突出させ、前記パネル取付片の側縁と突片の側縁とに挟まれた溝である上切欠部を段差部上方に形成し、突片の上縁に水平な上摺接部を設けたパネル組立用連結具を、組み付けるパネルの一方のパネル側縁角部へ上摺接部及び上切欠部を上向きにして取り付け、組み付けるパネルの他方のパネル側縁角部へ上摺接部及び上切欠部を下向きにして取り付けて、パネル組立用連結具それぞれの段差部を水平断面でＸ字状に交差させ、前記一方の上切欠部と前記他方の上切欠部とを互いに嵌まり込ませてパネルを組み付けるパネル連結構造である。このパネル連結構造は、組付けるパネルの端部にそれぞれ同一の形状のパネル組立用連結具を、一方の上摺接部と他方の上摺接部とが、一方の上切欠部と他方の上切欠部とが互いに対向し、点対称となるように取付けて、２個一組で上切欠部と下切欠部とを互いに嵌まり込ませて連結する。その際、パネルの上下位置が揃うようパネル組立用連結具の上下方向の取付位置に差を付ける。また、連結作業に際し、一方の上摺接部と他方の上摺接部とが互いに摺接し、パネル間に隙間を持たせた状態を保持して組付けを容易にする。パネル組立用連結具は、上切欠部と上下対称に、パネル取付片の側縁と突片の側縁とに挟まれた溝である下切欠部を段差部下方に形成し、上摺接部と上下対称に、突片の下縁に水平な下摺接部を設けてもよい。
【０００５】
パネル取付片は、縦長で、上下端部にパネルへの上角当部及び下角当部を設け、突片は、更に外方へ突出して組み付けるパネル相互を面一に規制する前後規制部を設けるとよい。上角当部及び下角当部は、パネル組立用連結具のパネルに対する位置決めとパネル固定時の回り止めとなり、パネル間の間隔保持にも役立つ。前後規制部は、パネルの前後方向の引っ掛かりとなって一方の上摺接部から他方の上摺接部の脱落防止になり、突き合わせ位置決めを容易にし、一人でも組付可能にする構造としている。
【０００６】
突片は、これらに加えて、上摺接部外方に上下方向に突出するよう外方へ折り曲げた上左右規制部を設けるとよい。上摺接部と上下対称に下摺接部を設けた場合、突片は、下摺接部外方に上下方向に突出するよう外方へ折り曲げた下左右規制部を設けるとよい。これら上左右規制部と下左右規制部とは、パネルの戻り方向の引っ掛かりとなって，一方の上摺接部から他方の上摺接部の脱落防止になり、一人でも組付可能にしている。
【０００７】
パネル取付片及び突片に、角当部、摺接部、切欠部、左右規制部等を上下に設ける場合、パネル組立用連結具の形状はすべて上下対称とすると、一種類でパネルの左右勝手のいずれにも対応でき、パネルの連結順序に合わせ施工現場でパネル組立用連結具の上下方向の取付位置を決めて取り付ければ、パネルの左右いずれからの連結にも対応できるのである。上摺接部、上切欠部、上左右規制部のみの場合も、左右勝手について１個のもので対応でき、左右のパネル組立用連結具の上下関係が特定されるものの、パネルの連結には何ら差支えない。
【０００８】
【発明の実施の形態】
以下、図面によって本発明のパネル連結構造に用いるパネル組立用連結具について具体的に説明する。図１は鋼板からプレス成形したパネル組立用連結具の斜視図である。図２から図５はパネルの平面連結時のもので、図２はパネル組立用連結具の取付状態を示す斜視図、図３はパネル組立用連結具の突片に設けた摺接部相互の接触載置状態を示す斜視図、図４は摺接部上を滑らせてパネル縁部を突き合わせた状態を示す斜視図、図５は切欠部相互が嵌まってパネルが連結されたパネル連結構造を示す斜視図である。図６から図９はパネルのコーナー連結時のパネル連結構造で、図６はパネル組立用連結具の取付状態を示す斜視図であり、図７はパネル組立用連結具の突片に設けた摺接部相互の接触載置状態を示す斜視図であり、図８は摺接部上を滑らせてパネル縁部を突き合わせた状態を示す斜視図であり、図９は切欠部相互が嵌まってパネルが連結されたパネル連結構造を示す斜視図である。図10は壁パネルの平面部及びコーナー部のパネル連結構造を示す斜視図である。図11は同パネル連結構造を示す平面図である。図12は図11の他の例のパネル連結構造を示す平面図である。
【０００９】
次に、図１に示した本発明のパネル連結構造に用いるパネル組立用連結具の各部の構造を、その作用と共に順次説明する。
【００１０】
図１と図２から明らかなように、パネル組立用連結具は、パネル側縁角部へ取り付けるパネル取付片１から段差部７を介して前記パネル取付片１と平行に突片２を前記パネル側縁角部と反対側に突出させ、パネル取付片１の側縁と突片２の側縁とに挟まれた溝である上切欠部８を段差部上方に、同じく下切欠部９を段差部下方に形成している。パネル取付片１は、パネルへの取付ねじ穴として２個所の上ねじ穴３と下ねじ穴４を設けている。そして、突片２は、上縁及び下縁にほぼ水平な上摺接部５及び下摺接部６を設けている。このパネル組立用連結具は、２個１組として、上向きとなる一方の上摺接部５及び上切欠部８と下向きとなる他方の上摺接部５及び上切欠部８とを対向させて、組み付けるパネルの各パネル側縁角部にそれぞれ取り付け、それぞれの段差部７,７をＸ字状に交差させるように、前記一方の上切欠部８と前記他方の上切欠部８とを互いに嵌まり込ませて連結する。その際、パネルの上下位置が揃うように、パネル組立用連結具の上下方向の取付位置に差を付けて組み付ける。
【００１１】
パネル取付片１は、縦長で、その上下端部にパネル側縁角部への上角当部10及び下角当部11を設け、突片２は、更に外方へ突出してパネル相互を面一に規制する前後規制部12を設けている。上角当部10及び下角当部11は、パネル固定時の回り止めとパネルの間隔保持に役立ち、前後規制部12はパネルを合わせるときに相手側のパネル取付片１の前面側にそれぞれ当接して引っかかることにより、一方の上摺接部５が他方の下摺接部６から前後方向の脱落防止の役目をする。
【００１２】
突片２は、上摺接部５及び下摺接部６のそれぞれ外方に、上下方向に突出するように折り曲げた上左右規制部13及び下左右規制部14を設けている。これらは、相手の上摺接部５に載せ、滑らせて移動する際、戻り方向へ動いたときに上摺接部５及び下摺接部６のそれぞれに対して互いに引っ掛かり、左右方向の脱落を防止する。
【００１３】
また、突片２は、端部には上下切欠部８,９に隣接して、上押部17及び下押部18がパネル側への段押し形成によって設けられている。これらの側端面は、パネル連結後、相手側の段差部７に当接してパネル間の隙間が左右に広がろうとするのを規制する。取付片側へ段押ししているのは、段差部７への引っ掛かり代を大きくとるためである。
【００１４】
パネル取付片１は、その上下長手方向に上膨出部15及び下膨出部16を設けている。この部分は、パネル取付片１の剛性を高めるとともに、パネル組立用連結具同士の摩擦抵抗を下げ、上切欠部８,８の嵌めあいを容易にし、上切欠部８,８が互いに嵌まり込んだときのパネル面を合わせ、パネル同士のガタツキ防止の作用をする。
【００１５】
パネル取付片１と突片２との間の段差部７は、上切欠部８と相手パネルのパネル組立用連結具の上切欠部８とを嵌まり込ませて接合した際、パネル同士を面一にするために、その断面がＸ字状に交差するような段差としている。
【００１６】
本例のパネル組立用連結具は、以上のような特殊な形状であり、パネル取付片１及び突片２の形状がすべて上下対称であるため、一種類でパネルの左右勝手のいずれにも対応でき、パネルの連結順序に合わせ施工現場でパネル組立用連結具の上下方向の取付位置を決めて取り付ければ、パネルの左右いずれからの組付にも対応できる。
【００１７】
以下にパネル組立用連結具の使用形態につき説明する。図２から図５は壁パネル20,20の平面連結時のもので、パネル取付片１,１を図５の組付後に各パネルの上下縁が面一になるように位置決めして上下のねじ穴３,４を利用して取り付け、右パネル側の上摺接部５に左パネル側の上摺接部５を載せるように、左パネル20を持っていく。このとき、図３のパネル20の平面連結時の上摺接部５,５相互の接触載置状態にみられるように、手持ちの左側パネル20の重量を右側の上摺接部５の上に預けた状態とする。そして、この状態からパネルを矢印方向へ滑らせて図４のようにパネル縁部を突き合わせた状態とすると、図５に示すように上切欠部８,８相互が嵌まって、パネルが連結されたパネル連結構造となる。
【００１８】
図６〜図９はコーナー部のパネル取付順序を示すもので、まず、図６のように右側のパネル20の端縁組付の経過は直線状のものと同様で、図６は図２に、図７は図３に、図８は図４に、図９は図５にそれぞれ対応するので、ここでは説明を省略するが、直線部の連結と変わらず組立が簡単に行える。
【００１９】
図10はパネルの平面部及びコーナー部のパネル連結構造を示す斜視図である。このように、パネル組立用連結具は、一種類でコーナー部も直線部も同じ連結構造で実施できる。パネル連結構造を更に詳しく図示したのが図11と図12であり、図11はパネルの平面部とコーナー部とのパネル連結構造を示す平面図であり、図12は図11の他の例のパネル連結構造を示す平面図である。これらの図から明らかなように、パネル取付片１には上下長手方向の上膨出部15と下膨出部16を設けている。この上からは見えない部分は上切欠部８,８が互いにはまり込んだときのパネル面を合わせ、かつ、ガタツキ防止等の作用をする。パネル取付片１と突片２との間の段差部７は相手パネルのパネル組立用連結具と上切欠部８と相手の上切欠部８とを嵌まり込ませて接合した際、その断面が図11の円形内拡大図にみられるように、パネル同士を面一にするため、水平断面でＸ字状に交差するような段差としている。ここで、上膨出部15の横に見えるのはビスの頭23である。
【００２０】
図11の例では、コーナー部を構成する一方のパネルに平面部のパネルよりも幅広のパネルを用いているが、図12に示す例のように平面部のパネルと同幅のパネル側縁角部に、断面コ字状の取付座22をビス固定等の手段によって取り付けて一体化し、これにパネル組立用連結具を固定した構造としている。こうすれば、わざわざ幅広のパネルを用意する必要がなく、種類を減らすことができる。取付座22は必ずしもパネルの全高に亘って設ける必要はなく、パネル組立用連結具を取り付ける位置に部分的に設けたものであってもよい。
【００２１】
図13〜図15は本発明に係るパネル組立用連結具の特徴を更に明らかにすべく平面的に組付順序を示したものであって、図13はパネルのコーナー回転組立初期状態の上下摺接部相互の接触載置状態を示し、図14はパネルのコーナー回転組立途中の上下摺接部相互の接触載置状態を示し、そして、図15はパネルのコーナー連結時の上下摺接部相互の接触載置状態を示す平面図である。作業者一人で施工を行う場合、柱やフレーム等がないので、自立できるコーナー部位を組立ててから平面を連結していく必要がある。始めに、コーナーとなる側縁に取り付けられたパネル組立用連結具の上摺接部５,５を直交させた状態で重合させ、パネル同士を重ね合わせる（図13の状態）。次にパネル組立用連結具を中心にパネルを矢印の方向へ回転させながら図14の状態を経過して90度開いて図15の状態とする。そして、上側の上摺接部５を更に矢印の方向へスライドさせて上切欠部８,８を嵌まり込ませて接合してコーナーの組立が完了する。上左右規制部13と下左右規制部14とは、それぞれ相手側の上摺接部５と下摺接部６の周囲に当接し、ａ,ｂ点で引っ掛かってパネル回転中の脱落を防止する。このようにしてパネル組立用連結具はヒンジ機能を発揮するのである。
【００２２】
図16は、図１と対比して分かるように、突片２の上下に設けている各部材のうち、下側を省略したものである。したがって、突片２には上摺接部５、上切欠部８、上左右規制部13及び上押部17の上側のみしか設けられていない。しかし、これで十分役立つことは図17のように左右逆勝手とし、図の左側パネル20に対して上下を逆に取り付けることで、図１の上下に各部材を有するものと同様に連結することができる。ただし、この部分は、先に述べたように、パネル組立用連結具を図16の形にすると、図17のように左側のパネルへは右側パネルの取付位置より必ず上にする必要があるが、実用上は何ら差支えない。
【００２３】
【発明の効果】
本発明のパネル連結構造は、以上のようなパネル組立用連結具を用いることにより、パネル組立用連結具相互の組付に際し、組付は上摺接部に下摺接部を載せて仮置きしパネル間に隙間を持たせた状態を保持して行うことができるので指を挟む危険は全くなくなり、安全性が保たれる。
【００２４】
また、パネル組立用連結具は、一種類で平面部やコーナー部といった組付場所やパネルの左右勝手に無関係に使用できるので便利で経済的である。また、パネル組立用連結具には各部を形成するため必然的にリブ構造となり、板材であっても十分な強度が確保できる。
【００２５】
更に、大パネルで重量物にもなると組付には重労働を強いられ、１人での組付が困難であったが、パネル組立用連結具の突片にパネルを預けることができるので、極めて楽に一人作業ができる点でも本発明の効果は大である。
【図面の簡単な説明】
【図１】本発明のパネル連結構造に用いるパネル組立用連結具の斜視図である。
【図２】パネルの平面連結時のパネル組立用連結具の取付状態を示す斜視図である。
【図３】パネルの平面連結時の上下摺接部相互の接触載置状態を示す斜視図である。
【図４】パネルの平面連結時の下摺接部上を滑らせてパネル縁部を突き合わせた状態を示す斜視図である。
【図５】パネルの平面連結時の切欠部相互が嵌まってパネルが連結された状態を示す斜視図である。
【図６】パネルのコーナー連結時のパネル組立用連結具の取付状態を示す斜視図である。
【図７】パネルのコーナー連結時の上下摺接部相互の接触載置状態を示す斜視図である。
【図８】パネルのコーナー連結時の下摺接部上を滑らせてパネル縁部を突き合わせた状態を示す斜視図である。
【図９】パネルのコーナー連結時の切欠部相互が嵌まってパネルが連結されたパネル連結構造を示す斜視図である。
【図10】パネルの平面部及びコーナー部のパネル連結構造を示す斜視図である。
【図11】パネルの平面部及びコーナー部のパネル連結構造を示す平面図である。
【図12】パネルの平面部及びコーナー部のパネル連結構造を示す他の例の平面図である。
【図13】パネルのコーナー回転組立初期状態の上下摺接部相互の接触載置状態を示す平面図である。
【図14】パネルのコーナー回転組立途中の上下摺接部相互の接触載置状態を示す平面図である。
【図15】パネルのコーナー連結時の上下摺接部相互の接触載置状態を示す平面図である。
【図16】パネル組立用連結具の他の例を示す斜視図である。
【図17】パネルの平面連結時のパネル組立用連結具の取付状態を示す他の例の斜視図である。
【符号の説明】
１  パネル取付片
２  突片
５  上摺接部
６  下摺接部
７  段差部
８  上切欠部
９  下切欠部
10  上角当部
11  下角当部
12  前後規制部
13  上左右規制部
14  下左右規制部
15  上膨出部
16  下膨出部
20  パネル
【図１】
0004691232.tif 000002
【図２】
0004691232.tif 000003
【図３】
0004691232.tif 000004
【図４】
0004691232.tif 000005
【図５】
0004691232.tif 000006
【図６】
0004691232.tif 000007
【図７】
0004691232.tif 000008
【図８】
0004691232.tif 000009
【図９】
0004691232.tif 000010
【図１０】
0004691232.tif 000011
【図１１】
0004691232.tif 000012
【図１２】
0004691232.tif 000013
【図１３】
0004691232.tif 000014
【図１４】
0004691232.tif 000015
【図１５】
0004691232.tif 000016
【図１６】
0004691232.tif 000017
【図１７】
0004691232.tif 000018